(57)【要約】【課題】コンテンツデータ出力装置において、外部機器との間でシリアルバスを介して接続が可能な場合、シリアルバスを伝送する制御データが出力端子から検出され、不正に利用されてしまう。【解決手段】コンテンツデータ出力部と、制御部と、コンテンツデータ出力部と制御部との間で送受信される制御データを伝送するデータラインとクロックデータを伝送するクロックラインとからなるシリアルバスと、制御データ及びクロックデータ並びにコンテンツデータを外部に出力する出力端子を有する出力部と、データライン及びクロックラインと出力部の出力端子との接続又は遮断の切り替えを行う切替部とを備え、制御部は、シリアルバスを介して接続された外部機器に制御データ及び前記クロックデータを送信する場合にのみ切替部におけるデータライン及びクロックラインと出力端子とを接続する。【選択図】      図１
2005117491.tif 000002
【特許請求の範囲】
【請求項１】
コンテンツデータを出力するコンテンツデータ出力部と、前記コンテンツデータ出力部を制御する制御部と、前記コンテンツデータ出力部と前記制御部との間で送受信される制御データを伝送するデータライン及びクロックデータを伝送するクロックラインを備えるシリアルバスと、前記シリアルバスを介して伝送される制御データ及びクロックデータ並びに前記コンテンツデータ出力部が出力したコンテンツデータを外部に出力する出力端子を有する出力部と、前記データライン及び前記クロックラインと前記出力部の出力端子との接続又は遮断の切り替えを行う切替部とを備え、前記制御部は、前記シリアルバスを介して接続された外部機器に前記制御データ及び前記クロックデータを送信する場合に前記切替部における前記データライン及び前記クロックラインと前記出力部の出力端子とを接続し、前記シリアルバスを介して接続された外部機器に前記制御データ及び前記クロックデータを送信しない場合に前記切替部における前記データライン及び前記クロックラインと前記出力部の出力端子とを遮断する制御をすることを特徴とするコンテンツデータ出力装置。
【請求項２】
請求項１記載のコンテンツデータ出力装置において、前記制御部は、前記切替部における前記データライン及び前記クロックラインと前記出力部の出力端子との接続又は遮断の切り替えを行う場合に前記データライン又は前記クロックラインの何れか一方のラインのみを接続又は遮断することを特徴とするコンテンツデータ出力装置。
【請求項３】
ビデオデータを出力するビデオデータ出力装置と、前記ビデオデータ出力装置が出力したビデオデータを映像として表示するビデオ表示装置とを備えるビデオシステムにおいて、前記ビデオデータ出力装置は、外部から入力するビデオデータ又は記録媒体から再生したビデオデータを出力するビデオデータ出力部と、前記ビデオデータ出力部を制御する制御部と、前記ビデオデータ出力部と前記制御部との間で送受信する制御データを伝送するデータライン及びクロックデータを伝送するクロックラインを備えるシリアルバスと、前記シリアルバスを介して伝送される前記制御データ及び前記クロックデータ並びに前記ビデオデータ出力部が出力したビデオデータを外部に出力する出力端子を有する出力部と、前記データライン及び前記クロックラインと前記出力部の出力端子との接続又は遮断の切り替えを行う切替部とを備え、前記制御部は、前記ビデオ表示装置に前記制御データを送信する場合に前記切替部における前記データライン及び前記クロックラインと前記出力部の出力端子とを接続し、前記ビデオ表示装置に前記制御データを送信しない場合に前記切替部における前記データライン及び前記クロックラインと前記出力部の出力端子とを遮断するよう制御することを特徴とするビデオシステム。
【請求項４】
請求項３記載のビデオシステムにおいて、前記ビデオデータ出力装置の制御部は、前記切替部における前記データライン及び前記クロックラインと前記出力部の出力端子との接続又は遮断の切り替えを行う場合に前記データライン又は前記クロックラインの何れか一方のラインのみを接続又は遮断することを特徴とするビデオシステム。
【発明の詳細な説明】
【技術分野】
【０００１】
本発明は、ビデオデータなどのコンテンツデータを出力するコンテンツデータ出力装置、および、ビデオデータを出力するビデオデータ出力装置とビデオデータを表示するビデオ表示装置とを備えるビデオシステムに関する。
【背景技術】
【０００２】
ビデオデータとオーディオデータとを記録したデジタル・バーサタイル・ディスク（Digital Versatile Disc、以下「ＤＶＤ」という。）を再生するＤＶＤプレーヤが普及している。ＤＶＤプレーヤとディスプレイの接続方法として、ＤＶＤプレーヤとディスプレイを直接接続する方法や、ＤＶＤプレーヤとディスプレイとをオーディオ・ビジュアル（Audio Visual、以下「ＡＶ」という。）アンプを介して接続する方法がある。
【０００３】
一般的には、ＤＶＤプレーヤが再生したビデオデータをディスプレイに出力する際、ＤＶＤプレーヤとディスプレイとの間をビデオケーブルにより接続し、そのビデオケーブルを介してビデオデータを伝送する。近年では、ビデオデータの他に、走査方式の情報、アスペクト比の情報などのビデオ信号の表示に関する情報をディスプレイに送信し、ディスプレイ側で入力したビデオ信号の表示形態に自動的に適合させる機能が望まれている。
【０００４】
一方、パーソナルコンピュータやワークステーション等のコンピュータとディスプレイとの間でビデオデータを伝送する技術として、コンピュータとディスプレイとの間をビデオ信号を伝送するケーブル及び同期信号を伝送するケーブルを接続し、その他に、コンピュータからディスプレイにビデオ信号の表示に関する情報などの制御データをシリアルバスにより伝送する映像情報インターフェース装置が、特許文献１に開示されている。
【０００５】
映像情報インターフェース装置では、コンピュータとディスプレイとを、Ｒ信号、Ｇ信号及びＢ信号を伝送するＲＧＢライン、水平同期信号を伝送するＨ−ｓｙｎｃライン、垂直同期信号を伝送するＶ−ｓｙｎｃライン、ビデオ信号の表示に関する情報などの制御データを伝送するＳＤＡライン、クロックデータを伝送するＳＣＬラインにより接続し、コンピュータとディスプレイとの間でビデオ信号の表示に関する情報などの制御データの交換している。
【０００６】
前述した映像情報インターフェース装置を、ＤＶＤプレーヤやＡＶアンプなどのビデオデータ出力装置とディスプレイなどのビデオ表示装置との接続に利用することにより、ビデオデータ出力装置とビデオ表示装置との接続においても、自動的に、ビデオデータ出力装置から出力されたビデオ信号に適合した表示形態により画面に映像を表示させることができると考えられる。
【０００７】
図３は、ビデオデータ出力装置とビデオ表示装置との間をシリアルバスを利用して接続した場合のビデオシステムの概略構成を示す図である。
図３において、ビデオデータ出力装置６は、外部から入力するビデオデータ又は記録媒体から再生したビデオデータを出力するビデオデータ出力部６１、ビデオデータに対してさまざまな信号処理を施しビデオデータ及び同期データを出力するビデオデータ処理部６２、ビデオデータ出力部６１及びビデオデータ処理部６２など装置全体を制御する出力装置制御部６３、ビデオデータ出力部６１及びビデオデータ処理部６２と出力装置制御部６３との間で送受信する制御データ及びクロックデータを伝送するデータライン６４ａ及びクロックライン６４ｂからなる出力装置シリアルバス６４、ビデオデータ及び同期データ並びに制御データ及びクロックデータを出力する出力端子を有する出力部６５を備える。出力装置制御部６３は、出力装置シリアルバス６４のデータライン６４ａを介して制御データの送受信を行い、ビデオデータ出力部６１或いはビデオデータ処理部６２を制御する。
【０００８】
また、ビデオ表示装置７は、ビデオデータ出力装置６が出力したビデオデータ及び同期データ並びに制御データ及びクロックデータを入力する入力端子を有する入力部７１、ビデオデータに対して信号処理を行いビデオ信号を出力するビデオ信号処理部７２、ビデオ信号処理部７２が出力したビデオ信号に基づいて映像を画面に表示する表示部７３、ビデオ信号処理部７２の信号処理のための作業領域などを有する記憶部７４、ビデオ信号処理部７２や記憶部７４などの装置全体を制御する表示装置制御部７５と、ビデオ信号処理部７２及び記憶部７４と表示装置制御部７５との間で送受信する制御データ及びクロックデータを伝送するデータライン７６ａ及びクロックライン７６ｂからなる表示装置シリアルバス７６とを備える。表示装置制御部７５は、表示装置シリアルバス７６のデータライン７６ａを介して制御データの送受信を行い、ビデオ信号処理部７２や記憶部７４を制御する。
【０００９】
ビデオデータ出力装置６の出力部６５とビデオ表示装置７の入力部７１とは、データライン８ａ及びクロックライン８ｂからなるシリアルバス８により接続され、ビデオデータ及び同期データは、ビデオデータライン９及び同期データライン１０により伝送される。
【００１０】
ビデオデータ出力装置６の出力装置シリアルバス６４とビデオ表示装置７の表示装置シリアルバス７６とが直接接続されているため、ビデオデータ出力装置６の出力装置制御部６３からビテオ表示装置の表示装置制御部７５に対して出力装置シリアルバス６４、シリアルバス８、表示装置シリアルバス７６を介してビデオデータの表示に関する情報等の制御データを簡単に送受信することでき、ビデオ表示装置７は、その情報に基づいてビデオデータ出力装置６が出力したビデオデータに適合した表示形態により画面に映像を表示させることができる。
【００１１】
【特許文献１】特開２００１−１００７１４号公報
【発明の開示】
【発明が解決しようとする課題】
【００１２】
前述したビデオデータ出力装置６においては、シリアルバス８が出力部６５の出力端子に接続しているため、ビデオデータ出力装置６の出力装置制御部６３がビデオデータ出力部６１やビデオデータ処理部６２に対して送信した制御データを出力部６５の出力端子から検出することができる。すなわち、ビデオデータ出力装置６において、出力装置制御部６３のような他のデバイスを制御するマスターデバイスと、マスターデバイスによって制御されるスレーブデバイス（ビデオデータ出力部６１、ビデオデータ処理部６２）との間でシリアルバスを介して送受信される制御データが出力部の出力端子から出力される。
【００１３】
この場合、例えば、ビデオデータ出力装置６において、マスターデバイス（出力装置制御部６３）とスレーブデバイス（ビデオデータ処理部６２）との間で送受信されるビデオデータを暗号化する場合の暗号化に関する情報、ビデオデータの著作権を保護するためのコピープロテクト情報などの情報も、出力部６５の出力端子から検出することが可能となる。
【００１４】
このため、ビデオデータ出力装置６とビデオ表示装置７との間のビデオデータの伝送において、不正コピー防止のためにビデオデータを暗号化して伝送する方法を用いても、パーソナルコンピュータ等をビデオデータ出力装置６の出力部６５に接続し、出力部６５の出力端子からビデオデータ出力装置６の内部の出力装置シリアルバス６４上を伝送する暗号化に関する情報を取得し、その情報を利用してビデオデータ出力装置６から出力されたビデオデータの暗号を解除し、ビデオデータをコピーすることが可能になる。
【００１５】
このように、ビデオデータ出力装置６とビデオ表示装置７との間をシリアルバス８により接続した場合、ビデオデータ出力装置６の内部の出力装置シリアルバス６４上を伝送する前述したような重要な情報がビデオデータ出力装置６の出力部６５から検出され、不正に利用されてしまうという問題がある。
【００１６】
本発明は、シリアルバスを介して接続された外部機器との間において制御データの送受信が可能なコンテンツデータ出力装置において、外部機器に対して制御データを送信する時以外にシリアルバスを伝送する制御データを出力部から検出することを困難にしたコンテンツデータ出力装置、および、当該コンテンツデータ出力装置を応用したビデオデータ出力装置とビデオ表示装置とからなるビデオシステムを提供することを目的とする。
【課題を解決するための手段】
【００１７】
本発明は、コンテンツデータ出力装置において、コンテンツデータを出力するコンテンツデータ出力部と、前記コンテンツデータ出力部を制御する制御部と、前記コンテンツデータ出力部と前記制御部との間で送受信される制御データを伝送するデータライン及びクロックデータを伝送するクロックラインを備えるシリアルバスと、前記シリアルバスを介して伝送される制御データ及びクロックデータ並びに前記コンテンツデータ出力部が出力したコンテンツデータを外部に出力する出力端子を有する出力部と、前記データライン及び前記クロックラインと前記出力部の出力端子との接続又は遮断の切り替えを行う切替部とを備え、前記制御部は、前記シリアルバスを介して接続された外部機器に前記制御データ及び前記クロックデータを送信する場合に前記切替部における前記データライン及び前記クロックラインと前記出力部の出力端子とを接続し、前記シリアルバスを介して接続された外部機器に前記制御データ及び前記クロックデータを送信しない場合に前記切替部における前記データライン及び前記クロックラインと前記出力部の出力端子とを遮断する制御をすることを特徴とする。
【００１８】
本発明は、前述したコンテンツデータ出力装置において、前記制御部は、前記切替部における前記データライン及び前記クロックラインと前記出力部の出力端子との接続又は遮断の切り替えを行う場合に前記データライン又は前記クロックラインの何れか一方のラインのみを接続又は遮断することを特徴とする。
【００１９】
本発明は、ビデオデータを出力するビデオデータ出力装置と、前記ビデオデータ出力装置が出力したビデオデータを映像として表示するビデオ表示装置とを備えるビデオシステムにおいて、前記ビデオデータ出力装置は、外部から入力するビデオデータ又は記録媒体から再生したビデオデータを出力するビデオデータ出力部と、前記ビデオデータ出力部を制御する制御部と、前記ビデオデータ出力部と前記制御部との間で送受信する制御データを伝送するデータライン及びクロックデータを伝送するクロックラインを備えるシリアルバスと、前記シリアルバスを介して伝送される前記制御データ及び前記クロックデータ並びに前記ビデオデータ出力部が出力したビデオデータを外部に出力する出力端子を有する出力部と、前記データライン及び前記クロックラインと前記出力部の出力端子との接続又は遮断の切り替えを行う切替部とを備え、前記制御部は、前記ビデオ表示装置に前記制御データを送信する場合に前記切替部における前記データライン及び前記クロックラインと前記出力部の出力端子とを接続し、前記ビデオ表示装置に前記制御データを送信しない場合に前記切替部における前記データライン及び前記クロックラインと前記出力部の出力端子とを遮断するよう制御することを特徴とする。
【００２０】
本発明は、前述したビデオシステムにおいて、前記ビデオデータ出力装置の制御部は、前記切替部における前記クロックライン及び前記データラインと前記出力部の出力端子との接続又は遮断の切り替えを行う場合に前記データライン又は前記クロックラインの何れか一方のラインのみを接続又は遮断することを特徴とする。
【発明の効果】
【００２１】
本発明によれば、シリアルバスを介して接続された外部機器との間において制御データの送受信が可能なコンテンツデータ出力装置において、外部機器に対して制御データを送信する時以外にシリアルバスを伝送する制御データを出力部から検出することを困難にすることができる。また、ビデオデータを出力するビデオデータ出力装置とビデオ信号を表示するビデオ表示装置とからなるビデオシステムにおいて、ビデオデータ出力装置からビデオ表示装置にシリアルバスを介して制御データを送信する時以外にシリアルバスを伝送する制御データを出力部から検出することができないようにし、ビデオデータ出力装置内部のシリアルバスを伝送する制御データが外部に漏洩することを困難にすることができる。
【発明を実施するための最良の形態】
【００２２】
本発明のコンテンツデータ出力装置及びビデオシステムの一実施例について説明する。
本実施例においては、ビデオデータ、オーディオデータ、コンピュータプログラムなどのコンテンツデータを出力するコンテンツデータ出力装置としてビデオデータ及びオーディオデータを出力するビデオデータ出力装置を例にあげ、コンテンツデータ出力装置が出力したコンテンツデータを受信する受信装置として映像を画面に表示するビデオ表示装置を例にあげ、ビデオデータ出力装置とビデオ表示装置とを備えるビデオシステムを説明する。なお、本実施例において、オーディオデータに関する説明は、省略する。
【００２３】
図１は、本発明のビデオデータ出力装置とビデオ表示装置とを備えたビデオシステムの一実施例の概略構成を示す図である。
ビデオデータ出力装置１は、例えば、ＤＶＤプレーヤ、ハードディスクプレーヤなどのコンテンツデータ（本実施例では、ビデオデータ）を再生して出力する再生装置、或いは、再生装置から出力されたコンテンツデータを入力し、そのコンテンツデータをディスプレイ等の表示装置に出力するＡＶアンプである。また、ビデオ表示装置２は、例えば、ディスプレイやテレビジョン受信機などである。
【００２４】
本実施例では、ビデオデータ出力装置１からビデオ表示装置２へデジタルデータによりビデオデータを伝送するビデオシステムとして説明するが、ビデオデータ出力装置１からビデオ表示装置２に送信するビデオデータは、コンポーネントビデオ信号、コンポジットビデオ信号などのアナログ信号であってもよい。
【００２５】
図１に示すように、ビデオデータ出力装置１は、ビデオデータ出力部１１、ビデオデータ処理部１２、切替部１３、出力部１４、出力装置制御部１５を備える。また、ビデオデータ出力装置１は、制御データ（後述する制御コマンド、ステータスコマンド等）を伝送するデータライン（ＳＤＡライン１６ａ）とクロックデータを伝送するクロックライン（ＳＣＬライン１６ｂ）とからなる出力装置シリアルバス１６を備える。ビデオデータ出力部１１、ビデオデータ処理部１２、切替部１３、出力部１４、制御部１５は、出力装置シリアルバス１６を介して接続されている。
【００２６】
ビデオ表示装置２は、入力部２１、ビデオ信号処理部２２、記憶部２３、表示部２４、表示装置制御部２５を備える。ビデオ表示装置２は、制御データ（後述する制御コマンド、ステータスコマンド等）を伝送するデータライン（ＳＤＡライン２６ａ）とクロックデータを伝送するクロックライン（ＳＣＬライン２６ｂ）とからなる表示装置シリアルバス２６を備える。入力部２１、ビデオ信号処理部２２、記憶部２３、制御部２５は、表示装置シリアルバス２６を介して接続されている。
【００２７】
ビデオデータ出力装置１とビデオ表示装置２は、出力部１４と入力部２１との間で、２線（ＳＤＡライン３ａ及びＳＣＬライン３ｂ）のシリアルバス３と、ビデオデータを伝送するビデオデータライン４、水平同期信号及び垂直同期信号の同期データを伝送する同期データライン５とにより接続されている。このシリアルバス３、ビデオデータライン４及び同期データライン５は、例えば、ＩＥＥＥ１３９４インターフェースを利用することができる。
【００２８】
ここで、シリアルバスは、ＳＤＡラインを介して他のデバイスを制御するマスターデバイス（本実施例では、出力装置制御部１５、表示装置制御部２５）と、マスターデバイスにより制御されるスレーブデバイス（本実施例では、ビデオデータ出力部１１、ビデオデータ処理部１２、ビデオ信号処理部２２、記憶部２３）との間で送受信される制御データ（本実施例では、制御コマンド、ステータスコマンド）を伝送する。
【００２９】
本実施例においては、ビデオデータ出力装置１が、後述するようにビデオ表示装置２との機器認証の処理やビデオ表示装置２へのビデオデータに関する情報の送信の処理などを行うため、ビデオデータ出力装置１がビデオ表示装置２に対してマスター装置となり、ビデオ表示装置２がビデオデータ出力装置１に対してスレーブ装置となる。このため、当該ビデオシステムにおいては、ビデオデータ出力装置１の出力装置制御部１５をマスターデバイス、ビデオ表示装置２の表示装置制御部２５をサブマスターデバイスとして説明する。ビデオデータ出力装置１及びビデオ表示装置２のスレーブデバイス（ビデオデータ出力部１１、ビデオデータ処理部１２、ビデオ信号処理部２２、記憶部２３）は、そのままスレーブデバイスとして説明する。
【００３０】
シリアルバスで伝送される制御データは、制御コマンドとステータスコマンドからなる。制御コマンドは、マスターデバイス又はサブマスターデバイスが制御するスレーブデバイスを特定するコード或いはマスターデバイスが制御するサブマスターデバイスを特定するコードと、サブマスターデバイス又はスレーブデバイスの動作環境や出力条件の設定を行うために必要な情報とを備え、マスターデバイス又はサブマスターデバイスとスレーブデバイスとの間、或いは、マスターデバイスとサブマスターデバイスとの間で１対１で通信が行われる。
【００３１】
ステータスコマンドは、マスターデバイスを特定するコード或いはマスターデバイス又はサブマスターデバイスを特定するコードと、サブマスターデバイス又はスレーブデバイスの動作状態や内部情報などに関する情報とを備え、スレーブデバイスとマスターデバイス又はサブマスターデバイスとの間、或いは、サブマスターデバイスとマスターデバイスとの間で１対１で通信が行われる。
【００３２】
ＳＣＬラインは、マスターデバイス、サブマスターデバイス及びスレーブデバイスの間で送受信される制御データをＳＤＡラインから検出するためのクロックデータを伝送する。マスターデバイス、サブマスターデバイス及びスレーブデバイスは、クロックデータに同期してＳＤＡライン上を伝送する制御データを検出する。
【００３３】
ビデオデータ出力装置１について説明する。
ビデオデータ出力部１１は、後述する出力装置制御部１５により、入力端子（図示せず）から入力するビデオデータ、または、ビデオデータ出力部１１の内部の再生部（図示せず）が再生したビデオデータをビデオデータ処理部１２に出力する。
【００３４】
ビデオデータ出力部１１と出力装置制御部１５は、出力装置シリアルバス１６を介して接続される。出力装置制御部１５からビデオデータ出力部１１へは、再生部の再生開始・停止の指示、ビデオデータの出力開始・停止の指示、入力端子（図示せず）から入力したビデオデータの出力の開始・停止の指示などの制御コマンドが送信される。ビデオデータ出力部１１から出力装置制御部１５へは、再生部におけるビデオデータの再生の開始・停止、ビデオデータの出力の開始・停止などの状態を示すステータスコマンドが送信される。
【００３５】
ビデオデータ処理部１２は、後述する出力装置制御部１５の制御により、ビデオデータ出力部１１から入力されるビデオデータに対する暗号化処理や、当該ビデオデータをデジタル信号として送信するためのフォーマットに変換するフォーマット変換処理などの信号処理を行い、ビデオデータと同期データを出力部１４に出力する。
【００３６】
ビデオデータ処理部１２と出力装置制御部１５は、出力装置シリアルバス１６を介して接続される。出力装置制御部１５からビデオデータ処理部１２へは、ビデオデータの暗号化処理の開始・停止の指示、ビデオデータのフォーマット変換処理の開始・停止の指示などの制御コマンドが送信される。ビデオデータ処理部１２から出力装置制御部１５へは、暗号化処理の開始・停止、ビデオデータのフォーマット変換処理の開始・停止、ビデオデータの出力開始・停止などの状態を示すステータスコマンドが送信される。
【００３７】
切替部１３は、例えば、シングルチップマイコン、トランジスタのようなディスクリート部品、リレースイッチのような機械部品、或いは、デジタル集積回路等により構成され、ＳＤＡライン側スイッチ及びＳＣＬライン側スイッチを備える。切替部１３は、後述する出力装置制御部１５の制御により、出力装置シリアルバス１６のＳＤＡライン１６ａ及びＳＣＬライン１６ｂと後述する出力部１４のＳＤＡ出力端子１４ａ及びＳＣＬ出力端子１４ｂとの接続（オン）又は遮断（オフ）の切り替えを行う。
【００３８】
切替部１３は、後述する出力装置制御部１５の制御により、出力装置シリアルバス１６のＳＤＡライン１６ａ及びＳＣＬライン１６ｂと後述する出力部１４のＳＤＡ出力端子１４ａとＳＣＬ出力端子１４ｂとを接続する場合、ＳＤＡライン側スイッチとＳＣＬライン側スイッチをオン（接続）に切り替え、出力装置シリアルバス１６のＳＤＡライン１６ａ及びＳＣＬライン１６ｂと後述する出力部１４のＳＤＡ出力端子１４ａとＳＣＬ出力端子１４ｂとを接続しない場合、ＳＤＡライン側スイッチとＳＣＬライン側スイッチをオフ（遮断）に切り替える。
【００３９】
出力部１４は、ＳＤＡライン１６ａを伝送する制御データを出力するＳＤＡ出力端子１４ａ、ＳＣＬライン１６ｂを伝送するクロックデータを出力するＳＣＬ出力端子１４ｂ、ビデオデータを出力するビデオデータ出力端子１４ｃ、水平同期信号及び垂直同期信号の同期データを出力する同期データ出力端子１４ｄを備える。
【００４０】
出力装置制御部１５は、ビデオデータ出力装置１全体を総合的に制御する。出力装置制御部１５は、出力装置シリアルバス１６を介してビデオデータ出力部１１及びビデオデータ処理部１２と接続され、制御コマンド又はステータスコマンドの送受信を行う。
【００４１】
具体的には、出力装置制御部１５は、ビデオ表示装置２との間でビデオデータに関する情報（例えば、ビデオ信号の走査方式の情報、アスペクト比に関する情報など）、機器認証を行う場合の認証に関する情報（認証情報）などの制御データの送受信を、出力装置シリアルバス１６、シリアルバス３、後述する表示装置シリアルバス２５を介して行う。本実施例では、これらのデータも制御データとして説明する。
【００４２】
出力装置制御部１５は、後述するビデオ表示装置２に対して出力装置シリアルバス１６及びシリアルバス３を介して制御データを送信する場合に、切替部１３のＳＤＡライン側スイッチ及びＳＣＬライン側スイッチのオン又はオフの切り替えの制御を行う。
【００４３】
出力装置制御部１５は、通常、ビデオデータ出力装置１の内部のビデオデータ出力部１１やビデオデータ処理部１２に対して制御コマンドを送信する場合には、ＳＤＡライン側スイッチとＳＣＬライン側スイッチをオフ（遮断）に切り替え、出力装置シリアルバス１６のＳＤＡライン１６ａ及びＳＣＬライン１６ｂと出力部１４のＳＤＡ出力端子１４ａ及びＳＣＬ出力端子１４ｂとの接続を遮断する。
【００４４】
そして、出力装置制御部１５は、出力装置シリアルバス１６及びシリアルバス３を介してビデオ表示装置２に制御コマンドを送信する場合、切替部１３のＳＤＡライン側スイッチとＳＣＬライン側スイッチをオン（接続）に切り替え、出力装置シリアルバス１６のＳＤＡライン１６ａ及びＳＣＬライン１６ｂと出力部１４のＳＤＡ出力端子１４ａとＳＣＬ出力端子１４ｂとを接続する制御をする。
【００４５】
ここで、出力装置制御部１５が制御する切替部１３の動作について説明する。
図２は、本実施例のビデオデータ出力装置における切替部の動作を説明するための図である。図２は、ビデオデータ出力装置１からビデオ表示装置２に制御データを送信する場合の状態を説明する図であり、（ａ）は、出力装置シリアルバス１６のＳＣＬライン１６ｂを伝送するクロックデータを示し、（ｂ）は、出力装置シリアルバス１６のＳＤＡライン１６ａを伝送する制御データを示し、（ｃ）は、出力装置制御部１５が切替部１３を制御する制御信号を示し、（ｄ）は、出力部１４のＳＣＬ出力端子１４ｂからの出力信号を示し、（ｅ）は、出力部１４のＳＤＡ出力端子１４ａからの出力信号を示す。
【００４６】
図２（ａ）に示すように、出力装置シリアルバス１６のＳＣＬライン１６ｂにはクロックデータが伝送され、図２（ｂ）に示すように、出力装置シリアルバス１６のＳＤＡライン１６ａには制御データが伝送される。図２（ｃ）に示す出力装置制御部１５から切替部１３に出力される制御信号がＬの場合には、切替部１３のＳＣＬライン側スイッチ及びＳＤＡライン側スイッチがオフとなり、図２（ｄ）及び（ｅ）に示すように、出力部１４のＳＣＬ出力端子１４ｂ及びＳＤＡ出力端子１４ａにはクロックデータ及び制御データが出力されない。
【００４７】
図２（ｃ）に示す出力装置制御部１５から切替部１３に出力される制御信号がＨの場合には、切替部１３のＳＣＬライン側スイッチ及びＳＤＡライン側スイッチがオンとなり、図２（ｄ）及び（ｅ）に示すように、出力部１４のＳＣＬ出力端子１４ｂ及びＳＤＡ出力端子１４ａにはクロックデータ及び制御データが出力される。
【００４８】
出力装置制御部１５は、ビデオ表示装置２との間で機器認証を行う際、ビデオ表示装置２に対して認証情報の送信を要求する制御コマンドを送信し、ビデオ表示装置２から送信されてきた認証情報が格納されたステータスコマンドにより、接続されているビデオ表示装置２がビデオデータを送信することが許可されている予め特定された装置であるか否かを判断する。
【００４９】
出力装置制御部１５は、ビデオデータ出力装置１にビデオ表示装置２が接続された時或いはビデオデータの再生開始又は出力開始の時に機器認証処理を行い、その後、予め定めた時間（例えば、２秒毎）毎に機器認証の処理を繰り返し行う。出力装置制御部１５は、接続されているビデオ表示装置２がビデオデータを送信することが許可されている予め特定された装置である場合はビデオデータの送信を継続し、接続されているビデオ表示装置２がビデオデータを送信することが許可されている予め特定された装置でない場合はビデオデータを送信しない。なお、最初に機器認証を行った時にビデオ表示装置２が予め特定された装置であり、その後の機器認証で接続された装置が予め定めた装置でないと判断した場合も、ビデオデータの送信を中止する。
【００５０】
このことにより、例えば、最初、ビデオデータ出力装置１にビデオ表示装置２を接続し、機器認証が行われた後、ビデオデータ出力装置１にパーソナルコンピュータを接続して、そのパーソナルコンピュータでビデオデータの機器認証に関する情報又はビデオデータの暗号化に関する情報などを取得しようとしても、予め定めた時間毎に機器認証を行うため、接続された装置が予め特定された装置でなくなった時点でビデオデータの送信を中止する。したがって、ビデオデータ出力装置１にパーソナルコンピュータを接続して、シリアルバス上を伝送する重要な情報を不正に取得することを防止することができる。
【００５１】
ビデオ表示装置２について説明する。
図１に示すように、入力部２１は、シリアルバス３のＳＤＡライン３ａを伝送する制御データが入力するＳＤＡ入力端子２１ａ、ＳＣＬライン３ｂを伝送するクロックデータが入力するＳＣＬ入力端子２１ｂ、ビデオデータライン４を伝送するビデオデータが入力するビデオデータ入力端子２１ｃ、同期信号ライン５を伝送する水平同期信号及び垂直同期信号の同期データが入力する同期データ入力端子２１ｄを備える。
【００５２】
入力部２１は、ビデオデータ出力装置１から出力されたＳＤＡライン３ａ及びＳＣＬライン３ｂを伝送するクロックデータを伝送する制御データを受信して表示装置シリアルバス２６に出力し、また、ビデオデータ及び同期データを受信して後述するビデオ信号処理部２２に出力する。
【００５３】
ビデオ信号処理部２２は、ビデオデータ出力装置１から送られてきたビデオデータおよび同期データを受信し、デジタル信号で送られてきたビデオデータのフォーマットを変換する処理を行った後、同期データに基づいてビデオデータを後述する表示部２４の表示形態に適合するよう信号処理（例えば、走査方式を適合させる処理、アスペクト比を適合させる処理）を施し、ビデオ信号として表示部２４に出力する。また、ビデオデータ出力装置１から送られてきたビデオデータが暗号化されている場合、後述する表示装置制御部２５の制御に基づいて後述する記憶部２３から暗号解除情報を取得し、ビデオデータの暗号を解除した後、同期データに基づいてビデオデータを後述する表示部２４の表示形態に適合するよう信号処理を施し、ビデオ信号として表示部２４に出力する。ビデオ信号処理部２２は、上述したようなビデオデータに対する信号処理の作業領域として後述する記憶部２３を利用する。
【００５４】
記憶部２３は、ビデオデータ出力装置１から送られてきたビデオデータ、ビデオデータに関する情報（例えば、走査方式に関する情報、アスペクト比に関する情報）、暗号化されたビデオデータの暗号解除に関する情報（認証情報（例えば、暗号解除キー）、暗号解除プログラム等）などを記憶する。また、記憶部２３は、ビデオ信号処理部２２の信号処理の作業領域としても利用される。
【００５５】
表示部２４は、ビデオ信号処理部２２から出力されたビデオ信号を映像として表示する。
【００５６】
表示装置制御部２５は、ビデオ表示装置２を総合的に制御する。表示装置制御部２５は、表示装置シリアルバス２６を介してビデオ信号処理部２２及び記憶部２３に制御コマンドを送信し、また、ビデオ信号処理部２２及び記憶部２３からのステータスコマンドを受信し、ビデオデータ出力装置１から送られてくるビデオデータに信号処理を施し、表示部２４に映像を表示させるよう制御する。
【００５７】
また、表示装置制御部２５は、ビデオデータ出力装置１からシリアルバス３のＳＤＡライン３ａ及びＳＣＬライン３ｂ、並びに、表示装置シリアルバス２６のＳＤＡライン２６ａ及びＳＣＬライン２６ｂを介して制御コマンド及びクロックデータが送られてくると、クロックデータに基づいて制御コマンドを検出し、当該制御コマンドに応じた制御を行う。
【００５８】
具体的には、ビデオデータ出力装置１からビデオデータの表示に関する情報が送られてきた場合、その情報に基づいてビデオ信号処理部２２の信号処理の制御を行う。また、ビデオデータ出力装置１から機器認証を行うための認証情報送信要求の制御コマンドが送られてきた場合、当該ビデオ表示装置２を特定する認証情報をステータスコマンドに格納しビデオデータ出力装置１に送信する制御を行う。また、ビデオデータ出力装置１から暗号化されたビデオデータが送られてきた場合、記憶部２３に記憶されている暗号解除に関する情報に基づいて、当該ビデオデータの暗号を解除する信号処理の制御を行う。
【００５９】
なお、本実施例では、機器認証を行う場合に、ビデオデータ出力装置１の出力装置制御部１５がビデオ表示装置２の表示装置制御部２５に制御コマンドを送信し、表示装置制御部２５が記憶部２３から認証情報を得て、ビデオデータ出力装置１の出力装置制御部１５にステータスコマンドとして送信する動作を行うものとして説明するが、それに限定されない。すなわち、ビデオデータ出力装置１の出力装置制御部１５がビデオ表示装置２の記憶部２３に、出力装置シリアルバス１６、シリアルバス３、表示装置シリアルバス２６を介して直接制御コマンドを送信し、記憶部２３が認証情報をステータスコマンドとして、シリアルバス２６、シリアルバス３、出力装置シリアルバス１６を介して出力装置制御部１５に送信するようにしてもよい。
【００６０】
このように、ビデオデータ出力装置１のマスターデバイス（出力装置制御部１５）及びスレーブデバイス（ビデオデータ出力部１１、ビデオデータ処理部１２）、ビデオ表示装置２のサブマスターデバイス（表示装置制御部２５）及びスレーブデバイス（ビデオ信号処理部２２、記憶部２３）は、出力装置シリアルバス１６、シリアルバス３、表示装置シリアルバス２６を介して接続しているため、ビデオデータ出力装置１のマスターデバイスとビデオ表示装置２のスレーブデバイスとの間で直接制御コマンド及びステータスコマンドの送受信を行ったり、ビデオ表示装置２のサブマスターデバイスとビデオデータ出力装置１のスレーブデバイスとの間で直接制御コマンド及びステータスコマンドの送受信を行うこともできる。
【００６１】
本実施例のビデオシステムの動作について説明する。
本実施例では、ビデオデータ出力装置１とビデオ表示装置２との間で機器認証を行い、ビデオデータ出力装置１は、記録媒体から再生したビデオデータを暗号化してビデオ表示装置２に送信し、ビデオ表示装置２は、ビデオデータ出力装置１から入力した暗号化されたビデオデータの暗号を解除し、ビデオ信号を表示部２５に映像として表示する動作について説明する。
【００６２】
ビデオデータ出力装置１は、最初に、ビデオ表示装置２と接続されたことを検出した時に、接続されているビデオ表示装置２がビデオデータを出力する装置として予め特定されている装置か否かを確認するため、機器認証の処理を行う。
【００６３】
ビデオデータ出力装置１の出力装置制御部１５は、出力装置シリアルバス１６のＳＤＡライン１６ａ及びＳＣＬライン１６ｂと出力部１４のＳＤＡ出力端子１４ａとＳＣＬ出力端子１４ｂとが接続するように切替部１３におけるスイッチの切り替えを行う。その後、ビデオ表示装置２に対して認証情報の送信を要求する制御コマンドを、シリアルバス３を介してビデオ表示装置２の表示装置制御部２５に送信する。
【００６４】
ビデオ表示装置２の表示装置制御部２５は、ビデオデータ出力装置１から出力された制御コマンドを受信すると、装置を特定する認証情報をステータスコマンドに格納し、シリアルバス３を介してビデオデータ出力装置１の出力装置制御部１５に送信する。
【００６５】
ここで、ビデオデータ出力装置１の出力装置制御部１５は、前述した機器認証の処理の場合など、ビデオ表示装置２との間でデータのやり取りを行う場合に、認証情報の送信要求に対しビデオ表示装置２から認証情報に関する制御データ（認証情報を格納したステータスコマンド）を受信するまでは、切替部１３をオン（接続）の状態を維持し、ビデオ表示装置２から制御データを受信した時に切替部１３をオフ（遮断）するように制御する。
【００６６】
ビデオデータ出力装置１の出力装置制御部１５は、ビデオ表示装置２から送信されたステータスコマンドを受信し、認証情報を確認して、予め特定されたビデオ表示装置２であることを確認すると、ビデオデータの再生、ビデオデータの出力の開始の処理に移行する。
【００６７】
ビデオデータ出力装置１の出力装置制御部１５は、操作部（図示せず）からの入力によりビデオデータの再生開始の指示があると、再度、機器認証の処理（認証情報送信要求の制御コマンドの送信、認証情報が格納されたステータスコマンドの受信）を行い、接続されているビデオ表示装置２が、予め特定された装置であるか否かを確認する。
【００６８】
具体的には、ビデオデータの再生開始の指示があると、出力装置制御部１５は、出力装置シリアルバス１６のＳＤＡライン１６ａ及びＳＣＬライン１６ｂと出力部１４のＳＤＡ出力端子１４ａ及びＳＣＬ出力端子１４ｂとを接続するように切替部１３におけるスイッチの切り替えを行い、認証情報送信要求の制御コマンドをシリアルバス３を介してビデオ表示装置２の表示装置制御部２５に送信する。
【００６９】
ビデオ表示装置２は、認証情報送信要求の制御コマンドを受信すると、認証情報を格納したステータスコマンドをビデオデータ出力装置１に送信する。出力装置制御部１５は、ビデオ表示装置２から認証情報を格納したステータスコマンドを受信すると、出力装置シリアルバス１６のＳＤＡライン１６ａ及びＳＣＬライン１６ｂと出力部１４のＳＤＡ出力端子１４ａ及びＳＣＬ出力端子１４ｂとを遮断するように切替部１３におけるスイッチの切り替えを行う。この後、ビデオデータ出力装置１は、ビデオ表示装置２に対して、定期的に予め定めた時間毎に機器認証の処理を行う。
【００７０】
ビデオデータ出力装置１の出力装置制御部１５は、操作部（図示せず）からのビデオデータ再生開始の指示に基づいて、出力装置シリアルバス１６を介して、ビデオデータ出力部１１にビデオデータの再生を開始させる制御コマンドを出力する。ビデオデータ出力部１１は、出力装置制御部１５からの制御コマンドに基づいてビデオデータの再生を開始し、出力装置シリアルバス１６を介して、出力装置制御部１５にビデオデータの再生を開始したことを示すステータスコマンドを出力する。
【００７１】
出力装置制御部１５は、ビデオデータ出力部１１から出力装置シリアルバス１６を介して送信されてきたビデオデータの出力を開始することを示すステータスコマンドを受信すると、出力装置シリアルバス１６を介して、ビデオデータ処理部１２にビデオデータ出力部１１から出力されたビデオデータに対して暗号化処理やフォーマット変換処理などの信号処理を行わせる制御コマンドを出力する。
【００７２】
ビデオデータ処理部１２は、出力装置制御部１５から送信された制御コマンドを受信すると、ビデオデータ出力部１１から入力するビデオデータに対し、ビデオデータに対する暗号化処理やフォーマット変換処理などの信号処理を行い、暗号化したビデオデータと水平同期信号及び垂直同期信号の同期データを出力部１４に出力する。
【００７３】
ビデオデータ処理部１２は、出力装置シリアルバス１６を介して、出力装置制御部１５にビテオデータに対して信号処理を開始したことを示すステータスコマンドを送信すると共に、当該ビデオデータの表示に関する表示情報をステータスコマンドとして送信する。
【００７４】
出力装置制御部１５は、ビデオデータ処理部１２から表示情報を受信すると、切替部１３を制御し、出力装置シリアルバス１６のＳＤＡライン１６ａ及びＳＣＬライン１６ｂと出力部１４のＳＤＡ出力端子１４ａ及びＳＣＬ出力端子１４ｂとを接続するよう制御し、シリアルバス３を介してビデオ表示装置２の表示装置制御部２５に表示情報を制御コマンドとして送信する。
【００７５】
ビデオ表示装置２の表示装置制御部２５は、ビデオデータ出力装置１から表示情報を格納した制御コマンドを受信すると、制御コマンドを受信したことを示すステータスコマンドをビデオデータ出力装置１に送信する。ビデオデータ出力装置１の出力装置制御部２５は、ビデオ表示装置２からステータスコマンドを受信すると、切替部１３をオフに切り替える。
【００７６】
ビデオ表示装置２は、ビデオデータ出力装置１からシリアルバス３を介して送信されてきた表示情報を受信すると、表示装置シリアルバス２６を介して記憶部２３に表示情報を送信し、記憶部２３に記憶させる。記憶部２３は、表示情報を記憶すると表示装置制御部２５に表示情報を記憶したことを示すステータスコマンドを送信する。
【００７７】
また、ビデオ表示装置２の表示装置制御部２５は、表示装置シリアルバス２６を介して、ビデオ信号処理部２２に表示情報に基づく信号処理を指示する制御コマンドを出力する。
【００７８】
ビデオデータ出力装置１は、ビデオデータ処理部１１により信号処理が行われたビデオデータ及び同期データを順次ビデオ表示装置２に送信する。
【００７９】
ビデオ表示装置２のビデオ信号処理部２２は、入力部２１を介してビデオデータ出力装置１からビデオデータ及び同期データが入力すると、表示装置制御部２５からの制御コマンドに基づいてビデオデータに対して、暗号を解除する信号処理、表示形態を決定する信号処理を開始する。
【００８０】
ビデオ信号処理部２２は、ビデオデータに対して信号処理を開始し、表示部２４にビデオ信号の出力を開始すると、表示装置シリアルバス２６を介して、表示装置制御部２５にビデオデータへの信号処理、ビデオデータの出力を開始したことを示すステータスコマンドを送信する。表示部２４は、ビデオ信号処理部２２から入力するビデオ信号を画面に映像として表示する。
【００８１】
このように、ビデオデータ出力装置１とビデオ表示装置２は、マスターデバイスの出力装置制御部１５と、マスターデバイスにより制御されるビデオデータ出力部１１及びビデオデータ処理部１２のスレーブデバイス、或いは、サブマスターデバイスのビデオ表示装置２の表示装置制御部２５、又は、ビデオ表示装置２のビデオ信号処理部２２及び記憶部２３のスレーブデバイスとが、出力装置シリアルバス１６、シリアルバス３及び表示装置シリアルバス２６を介して接続されており、ビデオデータ出力装置１のマスターデバイスから、ビデオデータ出力装置１のスレーブデバイス、或いは、ビデオ表示装置２のサブマスターデバイス又はスレーブデバイスとの間で制御データの送受信を行うことができる。
【００８２】
そして、ビデオデータ出力装置１のマスターデバイスからビデオデータ出力装置２のスレーブデバイスへの制御データの送信のときには、ビデオデータ出力装置１の出力装置シリアルバス１６のＳＤＡライン１６ａ及びＳＣＬライン１６ｂが出力部１４のＳＤＡ出力端子１４ａ及びＳＣＬ出力端子１４ｂとが接続しないように切替部１３を制御し、ビデオデータ出力装置１のマスターデバイスから、ビデオ表示装置２のサブマスターデバイス又はスレーブデバイスへの制御データの送信するときにのみ、ビデオデータ出力装置１の出力装置シリアルバス１６のＳＤＡライン１６ａ及びＳＣＬライン１６ｂと出力部１４のＳＤＡ出力端子１４ａ及びＳＣＬ出力端子１４ｂとが接続するよう切替部１３を制御する。
【００８３】
このことにより、ビデオデータ出力装置１の出力装置シリアルバス１６は、ビデオデータ出力装置１からビデオ表示装置２に対して制御データを送信する時以外は、出力部１４のＳＤＡ出力端子１４ａ及びＳＣＬ出力端子１４ｂと接続しないため、ビデオデータ出力装置１の内部のマスターデバイスとスレーブデバイスとの間で送受信される制御コマンドやステータスコマンドを、出力部１４のＳＤＡ出力端子１４ａ及びＳＣＬ出力端子１４ｂから検出することができない。
【００８４】
したがって、ビデオデータ出力装置１の出力装置シリアルバス１６を伝送する制御コマンドやステータスコマンドから、機器認証に関する情報、ビデオデータの暗号化に関する情報、或いは、ビデオデータのコピー防止のためのコピープロテクト情報などを検出し、その情報を不正に利用することを防止することができる。
【００８５】
前述した実施例において、切替部１３は、出力装置シリアルバス１６のＳＤＡライン１６ａ及びＳＣＬライン１６ｂと出力部１４のＳＤＡ出力端子１４ａ及びＳＣＬ出力端子１４ｂの両方の接続或いは遮断の切り替えを行うものとして説明したが、いずれか一方のラインと端子の接続或いは遮断の切り替えのみを行うようにしてもよい。
【００８６】
シリアルバスにおいて、ＳＤＡライン上を伝送する制御データから制御コマンド又はステータスコマンドなどのデータを正確に検出し、その内容（例えば、制御コマンドの制御内容、ステータスコマンドの情報）を解析するには、ＳＣＬライン上を伝送するクロックデータが必要となる。このため、ＳＤＡラインを伝送する制御データのみを検出しても、検出した制御データのみでは制御データの内容を解析することはできない。ＳＣＬラインのクロックデータのみを検出しても、クロックデータから制御データを検出できない。したがって、ＳＤＡライン又はＳＣＬラインのいずれか一方のラインと端子の接続或いは遮断の切り替えのみを行うようにしても、制御データから重要な情報を検出することを防止することができる。
【００８７】
この切替部１３は、トランジスタ、リレースイッチ等により構成されるため、一方のライン及び端子のみの接続或いは遮断の切り替えを行うようにした場合、切替部１３を構成する部品が１個で済み、装置のコスト低減、基板への回路実装面積の削減、回路構成の簡素化になる。
【００８８】
また、２つのライン及び端子の接続或いは遮断の切り替えを行う場合は、ＳＤＡライン１６ａの接続或いは遮断の切り替えのタイミングとＳＣＬライン１６ｂの接続或いは遮断の切り替えのタイミングとが、正確なタイミングで切り替わるよう制御する必要があるが、１つのライン及び端子のみの接続の或いは遮断の切り替えを行う場合には、スイッチのオンオフのタイミングの制御も不要となり、出力装置制御部１５による制御が簡単になる。
【図面の簡単な説明】
【００８９】
【図１】本発明のビデオデータ出力装置とビデオ表示装置とを備えたビデオシステムの一実施例の概略構成を示す図。
【図２】本実施例のビデオデータ出力装置における切替部の動作を説明するための図。
【図３】ビデオデータ出力装置とビデオ表示装置との間をシリアルバスを利用して接続した場合のビデオシステムの概略構成を示す図。
【符号の説明】
【００９０】
１・・・ビデオデータ出力装置、１１・・・ビデオ出力部、１２・・・ビデオデータ処理部、１３・・・切替部、１４・・・出力部、１４ａ・・・ＳＤＡ出力端子、１４ｂ・・・ＳＣＬ出力端子、１４ｃ・・・ビデオデータ出力端子、１４ｄ・・・同期データ出力端子、１５・・・出力装置制御部、１６・・・出力装置シリアルバス、１６ａ・・・ＳＤＡライン、１６ｂ・・・ＳＣＬライン。
２・・・ビデオ表示装置、２１・・・入力部、２１ａ・・・ＳＤＡ入力端子、２１ｂ・・・ＳＣＬ入力端子、２１ｃ・・・ビデオデータ入力端子、２１ｄ・・・同期データ入力端子、２２・・・ビデオ信号処理部、２３・・・記憶部、２４・・・表示部、２５・・・表示装置制御部、２６・・・表示装置シリアルバス、２６ａ・・・ＳＤＡライン、２６ｂ・・・ＳＣＬライン。
３・・・シリアルバス。
４・・・ビデオデータライン。
５・・・同期データライン。
６・・・ビデオデータ出力装置、６１・・・ビデオデータ出力部、６２・・・ビデオデータ処理部、６３・・・出力装置制御部、６４・・・出力装置シリアルバス、６４ａ・・・データライン、６４ｂ・・・クロックライン、６５・・・出力部。
７・・・ビデオ表示装置、７１・・・入力部、７２・・・ビデオ信号処理部、７３・・・表示部、７４・・・記憶部、７５・・・表示装置制御部、７６・・・表示装置シリアルバス、７６ａ・・・データライン、７６ｂ・・・クロックライン。
８・・・シリアルバス。
９・・・ビデオデータライン。
１０・・・同期データライン。
【図１】
2005117491.tif 000003
【図２】
2005117491.tif 000004
【図３】
2005117491.tif 000005